(57)【要約】【課題】ダイバーシティ受信可能な複数本のアンテナケーブルとダイバーシティ受信機を構成する集積回路を備えたプリント回路基板との接続が簡易的に行え、かつ、小型化並びにプリント回路基板に対する専有面積の縮小化をも図ることが可能なダイバーシティ受信機用コネクタユニットを提供すること。【解決手段】ケーブル側接続部１１ａ，１３ａと基板側接続部１１ｂ，１３ｂとを有する内導体端子１１，１３を誘電体１２を介して外導体端子１５内に複数収容すると共に各内導体端子間が遮蔽部材により電磁的に隔絶されてなるシールド端子１０を基板側ハウジング２０に配設させてなる基板側コネクタ１に、アンテナケーブル４０の端末部が接続されたケーブル端子をケーブル側ハウジング６０に複数配設させてなるケーブル側コネクタ２を接続することによりダイバーシティ受信機用コネクタユニットが構成される。【選択図】　図１
2004014156.tif 000002
【特許請求の範囲】
【請求項１】
複数本のアンテナケーブルとプリント回路基板との間を接続するダイバーシティ受信機用コネクタユニットにおいて、
前記アンテナケーブルが接続されるケーブル端子を複数配設してなるケーブル側コネクタと、このケーブル側コネクタと前記プリント回路基板とが接続される基板側コネクタとから構成され、
前記基板側コネクタは、前記ケーブル端子に接続されるケーブル側接続部とプリント回路基板に接続される基板側接続部とを有する内導体端子と、内導体端子を覆う誘電体と、誘電体を覆うと共に内導体端子を電磁的に遮蔽する外導体端子とを備えたシールド端子をハウジング内に収容してなるものであって、前記内導体端子を覆う前記誘電体が前記外導体端子内に複数収容されると共に、各誘電体間には隣接する内導体端子同士を電磁的に遮蔽する遮蔽部材が介在されていることを特徴とするダイバーシティ受信機用コネクタユニット。
【請求項２】
請求項１に記載のダイバーシティ受信機用コネクタユニットにおいて、前記基板側コネクタは、前記内導体端子のケーブル側接続部と基板側接続部とが略直角の関係にあり、前記ケーブル側接続部がプリント回路基板面に対して略平行に配向されると共に前記基板側接続部がプリント回路基板とその基板面に対して略垂直に配向された状態で接続されるように前記誘電体を介して前記外導体端子内に複数収容されていることを特徴とするダイバーシティ受信機用コネクタユニット。
【請求項３】
前記外導体端子には、前記遮蔽部材を差込挿入する差込溝が形成されていることを特徴とする請求項１又は２に記載のダイバーシティ受信機用コネクタユニット。
【発明の詳細な説明】
【０００１】
【発明の属する技術分野】
本発明は、ダイバーシティ受信機用コネクタユニットに関し、更に詳しくは、複数本のアンテナケーブルとプリント回路基板とを電気的に接続する中継的な役割を担うものであって、アンテナケーブルの端末部が接続されるケーブル端子を複数配設してなるケーブル側コネクタと、ケーブル端子とプリント回路基板間の電気信号を伝送する内導体端子とこの内導体端子を電磁的に遮蔽する外導体端子と両端子間を絶縁状態で保持する誘電体とを備えたシールド端子をハウジング内に配設してなる基板側コネクタとからなるダイバーシティ受信機用コネクタユニットに関する。
【０００２】
【従来の技術】
近年、カーナビゲーションシステム等の普及に伴い、自動車のように移動によって電波の受信状態が刻々と変化する環境においても常に良好な受信状態が得られる受信装置が求められている。このように受信状態に変化を伴う車載用等の受信装置においては、一般に、複数のアンテナを設けることによって複数の電波を同時に受けて、より強い電波を受信したアンテナを選択し使用可能とするダイバーシティ受信の方法が採用されている。
【０００３】
このようなダイバーシティ受信用として、アンテナと受信装置との間を電気的に接続する接続装置（ダイバーシティ受信機用コネクタ）は、例えば、特開平８−２６４２３３号公報に示されているものが知られている。この公報に示されているダイバーシティ受信機用コネクタは、電波を受信するメインとサブの２つのアンテナと受信機を構成する集積回路を備えたプリント回路基板とをつなぐ中継的な役割を果たすコネクタであって、それぞれのアンテナのホット側端子との接続部を担うメインホット切片とサブホット切片とを備えている。これらのアンテナのコネクタへの接続は、各アンテナのホット側端子を対応するメイン又はサブホット切片を個々に組み付けることによってなされる。
【０００４】
【発明が解決しようとする課題】
しかしながら、前述のようなダイバーシティ受信機用のコネクタは、複数本のアンテナをそれぞれ別々にコネクタに組み付ける構造であるため、接続されるアンテナ（ケーブル）の数が多くなるほど組付工程は増加し、組付作業の効率化を妨げる要因となっていた。また、複数本のアンテナケーブルと接続されるいわゆる多極型のコネクタは、各アンテナケーブルとの接続部を個々に遮蔽するためにケーブル数に対応するだけのシールド端子を配設させなければならず、これらシールド端子を一定間隔をおいて配設させるためのスペースも必要となる。このため、アンテナ（ケーブル）数が増えるほどコネクタの部品点数が嵩むと共に、コネクタが大型化するといった問題があった。ところで、このようなダイバーシティ受信機用のコネクタは受信機を構成する集積回路を備えたプリント回路基板との接続が必要となるが、コネクタが大型化するほどコネクタのプリント回路基板に対する専有面積が大きくなり、その分信号パターンや電子素子などの配設スペースを削るか、プリント回路基板自体を大型化させる必要があった。特に、アンテナケーブルに接続されるシールド端子がプリント回路基板面に対して横方向に配設されるコネクタの場合には、プリント回路基板に対する専有面積の増大化は大きな問題であった。
【０００５】
本発明の解決しようとする課題は、複数の電波を同時に受信（ダイバーシティ受信）可能な複数本のアンテナケーブルとダイバーシティ受信機を構成する集積回路を備えたプリント回路基板との接続を簡易的に行うことができ、かつ、小型化ならびにプリント回路基板に対する専有面積の縮小化をも図ることが可能なダイバーシティ受信機用コネクタユニットを提供することである。
【０００６】
【課題を解決するための手段】
この課題を解決するために本発明に係るダイバーシティ受信機用コネクタユニットは、請求項１に記載のように、複数本のアンテナケーブルとプリント回路基板との間を接続するダイバーシティ受信機用コネクタユニットにおいて、前記アンテナケーブルが接続されるケーブル端子を複数配設してなるケーブル側コネクタと、このケーブル側コネクタと前記プリント回路基板とが接続される基板側コネクタとから構成され、前記基板側コネクタは、前記ケーブル端子に接続されるケーブル側接続部とプリント回路基板に接続される基板側接続部とを有する内導体端子と、内導体端子を覆う誘電体と、誘電体を覆うと共に内導体端子を電磁的に遮蔽する外導体端子とを備えたシールド端子をハウジング内に収容してなるものであって、前記内導体端子を覆う前記誘電体が前記外導体端子内に複数収容されると共に、各誘電体間には隣接する内導体端子同士を電磁的に遮蔽する遮蔽部材が介在されていること要旨とする。
【０００７】
このように、アンテナケーブルの端末部がケーブル端子を介してケーブル側コネクタに、一括して、組み付けられた状態で、基板側コネクタに接続されていれば、アンテナケーブルとプリント回路基板との間の接続を一回の組付工程で、しかも容易に行うことができるので、上述の従来型のコネクタのように複数本のアンテナケーブルを基板側のコネクタに１本ずつ組み付けるといった煩わしさが解消される。
【０００８】
また、本発明に係るダイバーシティ受信機用コネクタユニットは、基板側コネクタを構成するシールド端子が、１つの外導体端子内に複数の内導体端子をその周りに覆設される誘電体と共に収容した構造を有しており、基板側ハウジングには、このシールド端子を収容するための収容部が１つ設けられている。したがって、内導体端子が外導体端子によって個々に遮蔽されたシールド端子をハウジング内に複数配設した従来型のコネクタのように、基板側ハウジングにシールド端子を収容するための収容部を隔壁を介して複数設ける必要がないので、基板側コネクタならびにコネクタユニット全体の小型化を図ることができる。
【０００９】
この場合に、請求項２に記載のように、本発明に係るダイバーシティ受信機用コネクタユニットを構成する基板側コネクタが、前記内導体端子のケーブル側接続部と基板側接続部とが略直角の関係にあり、前記ケーブル側接続部がプリント回路基板面に対して略平行に配向されると共に前記基板側接続部がプリント回路基板とその基板面に対して略垂直に配向された状態で接続されるように前記誘電体を介して前記外導体端子内に複数収容されていることが好ましい。このように構成されていれば、１つには、シールド端子をプリント回路基板面に対して横方向に配設させてなる従来型のコネクタと比べて、プリント基板面に対する専有面積が縮小されるので、その縮小可能なスペースに信号パターンや電子素子等を配設させることによってプリント回路基板の小型化を図ることが可能となる。また１つには、プリント回路基板の大きさはそのままに、縮小可能な専有面積分だけプリント回路基板面上に配設される配線回路の専有面積を増大化を図ることが可能となる。
【００１０】
さらにこの場合に、請求項３に記載のように、前記外導体端子には、前記遮蔽部材を差込挿入する差込溝が形成されておれば、内導体端子を覆設してなる複数の誘電体を外導体端子内に収容する際に、各誘電体間に遮蔽部材を介在させる作業がスムーズに行え、コネクタの組付作業性を向上させることができる。
【００１１】
【発明の実施の形態】
以下に本発明の実施の形態に係るダイバーシティ受信機用コネクタユニットについて、図１〜図９を用いて詳細に説明する。
【００１２】
本発明の実施の形態に係るダイバーシティ受信機用コネクタユニットを構成する基板側コネクタ１を、図１に分解斜視図として示す。以下、本実施の形態の説明においては、後述するケーブル側コネクタ１００との接続側を「前側」とし、図１に示す向きによって上下左右の関係を表している。本実施の形態に係る基板側コネクタ１は、それぞれ大きさの異なる略直角型の内導体端子１１，１３を誘電体１２，１４を介して外導体端子１５内に収容させたシールド端子１０を基板側ハウジング２０内に配設させてなるものである。シールド端子１０の一端側が図１中には図示しないアンテナケーブル４０が接続されたケーブル側コネクタ２に接続され、他端側が同じく図１中には図示しないプリント回路基板３０に接続される。以下に、基板側コネクタ１の構成をなす各部材について詳細に説明する。
【００１３】
内導体端子１１，１３は、導電性材料により形成されており、一端側が後述するアンテナケーブル４０が接続されるケーブル端子５０に接続されると共に、他端側が後述するプリント回路基板３０に接続され、アンテナケーブル４０とプリント回路基板３０との間の電気信号を直接的に受け渡す役割を担う。これら内導体端子１１，１３は、略直角の関係にあるケーブル側接続部１１ａ，１３ａと基板側接続部１１ｂ，１３ｂとからなる。ケーブル側接続部１１ａ，１３ａはケーブル側コネクタ２の内導体端子５１と嵌合接続され（図９参照）、基板側接続部１１ｂ，１３ｂは後述するプリント回路基板３０のスルーホール３１ａに嵌め込まれて基板面上の信号パターン３２とハンダ接続される（図７参照）。
【００１４】
誘電体１２，１４は、絶縁性の樹脂材料等により形成されており、内導体端子１１，１３と後述する外導体端子１５とを絶縁状態に保持する役割を担う。これら誘電体１２，１４は、図１及び図４に示すように、一端側を開放する収容部１２ａ，１４ａを備え、この開放部から内導体端子１１，１３が挿入される。また、この収容部１２ａ，１４ａから前後方向に貫通する挿通孔１２ｂ，１４ｂが設けられ、内導体端子１１，１３のケーブル側接続部１１ａ，１３ａが挿入される。また、下側に配設される誘電体１２の上面には、中央に凹部のある溝部１２ｃが左右に亘って設けられており、一方、上側に配設される誘電体１４の上面には、前後に段差のある溝部１４ｃが設けられている。
【００１５】
外導体端子１５は、導電性材料からなる板材を折り曲げ加工して形成されており、誘電体１２，１４の周囲を覆うと共に内導体端子１１，１３を電磁的に遮蔽する役割を担う。この外導体端子１５は、図１及び図４に示すように、前後方向に延設される嵌合部１５ａと、この嵌合部１５ａの後部から下方に延設される基板組付部１５ｂとを備えたものである。
【００１６】
嵌合部１５ａの先端の開口部には、後述するケーブル側コネクタ２のメス型のケーブル端子５０が嵌め込まれる。また、この嵌合部１５ａの上下及び左右壁面には、ケーブル端子５０の外周面に弾性接触可能とする接触部１５ｃが内側に突設されている。また、嵌合部１５ａの後部上面中央には、係止部１５ｄが内側に突設されている。この係止部１５ｄは、上側に収容される誘電体１４の溝部１４ｃの段差部に係合することで誘電体１４を係止する機能を有する。また、この係止部１５ｄの左右両側位置には、後述する基板側ハウジング２０内に外導体端子１５を係止するためのスタビライザ１５ｅが外側に向けて形成されている。また、スタビライザ１５ｅの下方には左右一対のランス１５ｆが外側に突設されており、後述する基板側ハウジング２０のランス係合部２１ｂに嵌合される。
【００１７】
また、嵌合部１５ａの後端上部には、嵌合部１５ａ及び基板組付部１５ｂの後端開放部を閉塞する折曲げ片１５ｇが設けられている。この折曲げ片１５ｇと嵌合部１５ａの上面との結合部には、左右両端縁から切り込みが形成され、折り曲げ作業の容易化を図っている。また、この折曲げ片１５ｇの後端部には、外向きに延設され、且つ、下方に折り曲げられてなる係合片１５ｈが設けられている。さらに、この係合片１５ｈには、基板組付部１５ｂの左右外面に接触する係合突部１５ｉが内側に設けられている。
【００１８】
また、基板組付部１５ｂの左右壁面には、係合孔１５ｊが形成されており、折曲げ片１５ｇを基板組付部１５ｂ側に折り曲げたときに、折曲げ片１５ｇの係合突部１５ｉが係合されるようになっている。さらに、基板組付部１５ｂの下端には、左右一対からなる接地用タブ１５ｋが、前後に位置をずらして下方に突出して設けられており、後述するプリント回路基板３０のスルーホール３１ｂに嵌め込まれた状態でプリント回路基板３０のグランドパターン３３に接続される（図７参照）。また、この外導体端子１５の一側側面には、嵌合部１５ａ及び基板組付部１５ｂに亘って差込溝１５ｌが略Ｌ字状に形成されており、後述する遮蔽部材１６が嵌め込まれる。
【００１９】
また、上記差込溝１５ｌに嵌め込まれる遮蔽部材１６は、導電性の金属板から形成されてなるものであり、外導体端子１５に組み付けることにより、外導体端子１５に収容される誘電体１２，１４同士を仕切ると共にこれら誘電体１２，１４に覆設される内導体端子１１，１３間を電磁的に遮蔽する役割を担う。この遮蔽部材１６は略Ｌ字形状であり、外導体端子１５内には嵌合部１５ａ及び基板組付部１５ｂのそれぞれに略平行にして組み付けられる。嵌合部１５ａに略平行に組み付けられる一面には係合片１６ａが下方に向けて設けられており、下側に収容される誘電体１２の溝部１２ｃに嵌合される。
【００２０】
基板側ハウジング２０は、絶縁性の樹脂材料等から形成されており、上述の内導体端子１１，１３を覆設してなる誘電体１２，１４を外導体端子１５内に組み付けてなるシールド端子１０を互いに絶縁保持する役割を担う。この基板側ハウジング２０には、図２に示すように、収容部２１が前後方向に貫通して設けられており、シールド端子１０が嵌合収容される。この収容部２１の左右壁面には後端側から嵌合溝２１ａが形成されており、外導体端子１５のスタビライザ１５ｅが嵌合される。また、収容部２１の左右壁面にはランス係合部２１ｂが凹状に設けられており、外導体端子１５のランス１５ｆが嵌合される。また、ランス係合部２１ｂの延長上にある収容部２１の左右壁面端縁には導入溝２１ｃが設けられており、ランス１５ｆの導入を容易化させる。
【００２１】
また、収容部２１の前方には、前面が開口された嵌合部２２が設けられており、後述するケーブル側コネクタ２が嵌合収容される。この嵌合部２２の前方上端縁にはストッパ２２ａが突設されており、ケーブル側コネクタ２を抜脱不能に係止可能とする。また、基板側ハウジング２０後方の左右外壁面には上下方向に貫通するネジ取付孔２３ａを備えた取付部２３が突設されており、後述する組付ネジＳをネジ取付孔２３ａに挿通させてプリント回路基板３０にネジ留めすることによって基板側ハウジング２０がプリント回路基板上に固定保持される。
【００２２】
次に、上記構成部材からなる基板側コネクタ１の組付工程について説明する。まず、図４及び図５を参照して、シールド端子１０の組付工程について説明する。まず、内導体端子１１，１３を誘電体１２，１４の後方から収容部１２ａ，１４ａへと押し込み、ケーブル側接続部１１ａ，１３ａを挿通部１２ｂ，１４ｂへと挿通させる（図４（ａ）参照）。基板側接続部１１ｂ，１３ｂが収容部１２ａ，１４ａの内壁に当接するまで押し込むと、ケーブル側接続部１１ａ，１３ａと基板側接続部１１ｂ，１３ｂのそれぞれの先端が誘電体１２，１４から突出して、内導体端子１１，１３の組み付けが完了する（図４（ｂ）及び図５（ａ）参照）。
【００２３】
次に、一方の内導体端子１１と誘電体１２とからなる組付体を、外導体端子１５の後方から挿入する（図４（ｂ）参照）。なおこのとき、外導体端子１５の折曲げ片１５ｇは水平方向に維持され、嵌合部１５ａ及び基板組付部１５ｂの後面が開放されている。組付体を外導体端子１５の所定位置まで押し込んだ後、遮蔽部材１６を差込溝１５ｌから嵌め込んで、遮蔽部材１６の係合片１６ａが誘電体１２の溝部１２ｃに嵌合される。このとき、嵌め込まれた遮蔽部材１６の一側の側縁は外導体端子１５の内壁に当接し、他側の側縁は差込溝１５ｌに嵌合された状態にある。このため遮蔽部材１６は前後及び左右方向のいずれに対しても抜脱不能に係止されると共に、収容された誘電体１２もその移動が阻止される。
【００２４】
次いで、他方の内導体端子１３と誘電体１４とからなる組付体を、同じく外導体端子１５の後方から挿入する（図４（ｃ）及び図５（ｂ）参照）。組付体を押し込むと、誘電体１４の前方の突出部が嵌合部１５ａの上壁と遮蔽部材１６との間に嵌め込まれると共に、嵌合部１５ａの係止部１５ｄが溝部１４ｃの段差部に係合され誘電体１４の抜脱が阻止される（図４（ｄ）及び図５（ｃ）参照）。次いで、折曲げ片１５ｇを誘電体１４の後面側に折り曲げると、係合片１５ｈの係合突部１５ｉが基板組付部１５ｂの係合孔１５ｊに係合され、誘電体１２，１４がさらに抜け止めされる（図５（ｄ）参照）。以上の工程により、シールド端子１０の組み付けが完了する。
【００２５】
次に、図６に示すように、上記工程により組み付けられたシールド端子１０を基板側ハウジング２０の収容部２１へと押し込む。このとき、シールド端子１０のスタビライザ１５ｅが収容部２１の嵌合溝２１ａに嵌入されると共に、ランス１５ｆがランス係合部２１ｂに嵌合されることによって（図２参照）、シールド端子１０がその先端部を収容部２１の前方へと突出させた状態で抜脱不能に係止される。このようにして、基板側コネクタ１が組み付けが完了する。
【００２６】
こうして得られた基板側コネクタ１をプリント回路基板３０に組み付けする工程について、図７を参照して説明する。まず、基板側ハウジング２０の下端から突出する内導体端子１１，１３の基板側接続部１１ｂ，１３ｂと外導体端子１５の接地用タブ１５ｋとをプリント回路基板３０のスルーホール３１ａに挿通させる。このとき、基板側ハウジング２０の取付部２３のネジ取付孔２３ａがプリント回路基板３０上に形成されるネジ穴３４と相重なる。次いで、組付ネジＳをネジ取付孔２３ａとネジ穴３４に挿通させプリント回路基板３０にネジ留めすることによって、基板側コネクタ１がプリント回路基板３０上に固定保持される。次いで、スルーホール３１ａ，３１ｂに挿通された基板側接続部１１ｂ，１３ｂ及び接地用タブ１５ｋをプリント回路基板３０の表裏両面側からハンダ付けすることによって、基板側接続部１１ｂ，１３ｂが信号パターン３２に接続されると共に、接地用タブ１５ｋがグランドパターン３３に接続される。これにより、基板側コネクタ１とプリント回路基板３０との間で電気信号の受け渡しが可能となる。
【００２７】
次に、ケーブル側コネクタ２とを接続する工程について、図８を参照して説明する。このケーブル側コネクタ２は、アンテナケーブル４０の芯線４１と接続されるメス型の内導体端子５１と、この内導体端子５１を覆う外導体端子５３と、両端子間５１，５３を絶縁保持する誘電体５２とを備えるケーブル端子５０をケーブル側ハウジング１２０内に配設させてなるものである。以下に、ケーブル側コネクタ２の構成について簡単に説明する。
【００２８】
内導体端子５１は、導電性部材から形成されており、アンテナケーブル４０と基板側コネクタ１の内導体端子１１，１３とを電気的に接続する中継的な役割を担う。この内導体端子５１は、一端側に弾性接触片５１ａが設けられ、基板側コネクタ１の内導体端子１１，１３のケーブル側接続部１１ａ，１３ａを弾性接触可能としている。また、他端側には対からなる芯線バレル５１ｂが設けられており、後述するアンテナケーブル４０の芯線４１の周面にかしめ接続される。
【００２９】
誘電体５２は、絶縁性の樹脂材料等から形成されており、内導体端子５１と後述する外導体端子５３とを絶縁保持する役割を担う。この誘電体５２は、内導体端子５１を収容する収容部５２ａと、一端側に後述する外導体端子５３の嵌合部５３ａに係止されるフランジ部５２ｂとを備えている。
【００３０】
外導体端子５３は、導電性部材を折り曲げ加工して形成されており、誘電体５２の周囲を覆うと共に、内導体端子５１を電磁的に遮蔽する役割を担う。この外導体端子５３は、誘電体５２の周囲を覆う嵌合部５３ａを備え、前方（シールド端１０接続側）が開口されている。この嵌合部５３ａの後部左右側面には、スタビライザ５３ｂが左右外側に向けて形成されている。また、この開口部の他端側には、対からなる編組バレル５３ｃが設けられており、後述するアンテナケーブル４０の編組線４３の周面にかしめ接続される。
【００３１】
ケーブル側ハウジング６０は、絶縁性の樹脂材料等から形成されており、前述の内導体端子５１、誘電体５２、及び外導体端子５３とを組み付けてなるケーブル端子５０を互いに絶縁保持する役割を担う。このケーブル側ハウジング６０には、収容部６１が設けられており、ケーブル端子５０が嵌合収容される。また、収容部６１の上端及び下端の両側壁面には、外導体端子５３のスタビライザ５３ｂを嵌合する嵌合溝６１ａが設けられている。また、図８では図示されていないが、収容部５１の前方には、前面が開口された覆い部６２が設けられており、基板側コネクタ１のシールド端子１０の突出する先端を収容可能とする（図９参照）。
【００３２】
また、このケーブル側ハウジング６０は、上記収容部６１に挿入されたケーブル端子５０を抜脱不能に係止するためにリテーナ７０が装着可能となっており、ケーブル側ハウジング６０の下端面には、このリテーナ７０を挿入する挿入孔６３が収容部６１と連通状に形成されている。また、ケーブル側ハウジング６０の上面前部（基板側コネクタ１との接続側）には弾性変形可能なロック部６４が後方に向けて延設されている。このロック部６４の中央には基板側コネクタ１のストッパ２２ａを嵌入するための嵌入溝６４ａが長手方向に沿って形成され、さらに、この嵌入溝６４ａの途中位置にはストッパ２２ａを係合するためのロック用突起６４ｂが突設されている。
【００３３】
上記ケーブル側ハウジング６０の導入溝６３から収容部６１内へと装着されるリテーナ７０は絶縁性の樹脂材料等により形成されており、基板７０ａに対して垂直方向に対からなる係合部７０ｂが立設されてなるものである。係合部７０ｂは、リテーナ７０を装着した際に、各ケーブル端子５０のスタビライザ５３ｂの後端側に装着され、スタビライザ５３ｂの後方への移動を係止する役割を担う。
【００３４】
次に、上記構成部材からなるケーブル側コネクタ２の組付工程について説明する。初めに、ケーブル端子５０の組付工程について説明する。まず、アンテナケーブル４０の芯線４１の周面に内導体端５１の芯線バレル５１ｂをかしめてアンテナケーブル４０と内導体端子５１とを接続する。なお、アンテナケーブル４０は、予め芯線４１と、芯線４１を中心に同心円上に被覆される絶縁内被４２、編組線４３、及び絶縁外被４４をそれぞれ階層的に露出させ、さらに、露出させた編組線４３を絶縁外被４４側へと折り返した状態としておく（図８中の上段側のアンテナケーブル４０を参照）。一方で、誘電体５２をそのフランジ部５２ｂが嵌合部５３ａの前方端縁に当接するまで、嵌合部５３ａ内へと押し込み、内導体端子５１と外導体端子５３とを組み付けておく（図８中の上段側のケーブル端子５０を参照）。
【００３５】
次に、アンテナケーブル４０が接続された内導体端子５１を誘電体５２の収容部５２ａ内へと押し込み、内導体端子５１の先端を収容部５２ａの奥側の壁面に当接させる。次いで、アンテナケーブル４０の折り返した編組線４３の周面に編組バレル５３ｃをかしめることにより、ケーブル端子５０の組付作業が完了する（図８中の下段側のケーブル端子５０を参照）。
【００３６】
次に、上記工程により組み付けられたケーブル端子５０をケーブル側ハウジング６０内へと収容する工程について、図８及び図９を参照して説明する。まず、両ケーブル端子５０を、スタビライザ５３ｂが互いに反対側に位置するように一端面を当接させた状態で同時にケーブル側ハウジング６０の収容部６１へと挿入する。外導体端子５３のスタビライザ５３ｂを収容部６１の嵌入溝６１ａに嵌め入れて、ケーブル端子５０を、挿入孔６３を横切りながら嵌入溝６１ａに沿って奥行き方向に押し込む。スタビライザ５３ｂが嵌入溝６１ａの端縁まで到達すると、ケーブル端子５０がその先端を収容部６１から突出させた状態で係止される（図９参照）。このとき、スタビライザ５３ｂは前方側の収容部６１内に完全に収まっており、差込溝６３にはリテーナ７０が装着可能な状態となっている。
【００３７】
次に、リテーナ７０を導入溝６３へと嵌め入る。スタビライザ５３ｂの後端はリテーナ７０の係合部７０ｂと当接しており、これによって各ケーブル端子５０の抜脱が阻止される（図９参照）。以上の工程により、ケーブル側コネクタ２の組付作業が完了する。
【００３８】
基板側コネクタ１とケーブル側コネクタ２とを接続するに際しては、図９に示すように、基板側コネクタ１側の内導体端子１１，１３のケーブル側接続部１１ａ，１３ａを、ケーブル側コネクタ２側の内導体端子５１に嵌合接続することにより、基板側コネクタ１とケーブル側コネクタ２との間で電気信号の受け渡しが可能となる。また、ケーブル側コネクタ２のケーブル側ハウジング６０の上面に延設されるロック部６４のロック用突起６４ｂに基板側ハウジング２０のストッパ２２ａを係合することにより、ケーブル側コネクタ２が抜脱不能に係止される。以上の工程により本実施の形態に係るダイバーシティ受信機用コネクタユニットが得られる。
【００３９】
本実施の形態に係るダイバーシティ受信機用コネクタユニットは、複数本（この場合２本）のアンテナケーブル４０が、ケーブル端子５０を介してケーブル側ハウジングに組み付けられた状態で、基板側コネクタに一括して組み付けられるので、アンテナケーブル４０とプリント回路基板３０とを電気的に結ぶ作業を容易、かつ、簡略に行うことができる。
【００４０】
また、各アンテナケーブル４０が接続される基板側コネクタ１のシールド端子１０は、１つの外導体端子１５の中に複数（この場合２個）の内導体端子１１，１３が誘電体１２，１４を介して収容された構造を有しているので、内導体端子を外導体端子によって個々に遮蔽してなる場合と比べて、外導体端子同士を隔てる隔壁が不要となる分だけ基板側ハウジング内における収容スペースを小さくすることができる。
【００４１】
また、基板側コネクタ１は、略直角型構造を有する複数の内導体端子１１，１３をプリント回路基板面に対して略垂直の方向（縦方向）に配設させてなるものであり、基板面に対して横方向に配設させてなる場合と比べて、プリント回路基板に対する専有面積を小さくすることができる。
【００４２】
以上、本発明の実施の形態について説明したが、本発明に係るダイバーシティ受信機用コネクタユニットは、上記実施の形態に何ら限定されるものではなく、本発明の要旨を逸脱しない範囲で種々の改変が可能である。
【００４３】
例えば、上記実施の形態では、２本のアンテナケーブルとプリント回路基板とを繋ぐ２極型のダイバーシティ受信機用コネクタユニットについて示しているが、３極以上の内導体端子を備えたものであっても良いことはいうまでもない。また、上記実施の形態では、基板側コネクタのプリント回路基板面に対する専有面積を小さくする目的でシールド端子をプリント回路基板面に対して略垂直方向（縦方向）に配設させた基板側コネクタについてのみ示しているが、これに限られず、内導体端子をプリント回路基板面に対して横方向に複数配設させてなる横型の基板側コネクタであっても構わない。また、上記実施の形態では、略直角型のシールド端子を構成する内導体端子は、プリント回路基板上に形成されるスルーホールに挿通してプリント回路基板の表裏両面でハンダ付けするスルーホール型の形状としているが、プリント回路基板の表面側のみでハンダ付けする表面実装型の形状を有するものであっても良い。
【００４４】
【発明の効果】
本発明に係るダイバーシティ受信機用コネクタユニットは、複数の電波を同時に受信する複数本のアンテナケーブルをダイバーシティ受信機を構成する集積回路を備えたプリント回路基板に接続するに際して、複数本のアンテナケーブルのそれぞれの端末部に接続されたケーブル端子をケーブル側ハウジング内に一括して配設してなるケーブル側コネクタを、ケーブル端子と同数の内導体端子を配設してなる基板側コネクタの嵌合部に取り付けることを特徴とするものである。これにより、複数本のアンテナケーブルは予めケーブル側コネクタに一括に組み付けられた状態で基板側コネクタに接続されるので、アンテナケーブルとプリント回路基板と接続する際の接続作業としては一回で済み、複数本のアンテナケーブルを接続端子を介して基板側のコネクタに１つずつ接続する従来型のものと比べて、その接続作業は極めて簡素かつ容易であり、作業効率の大幅な向上が図られるという本発明特有の効果がある。
【００４５】
また、本発明に係るダイバーシティ受信機用コネクタユニットを構成する基板側コネクタは、１つの外導体端子内にケーブル側コネクタに接続されるアンテナケーブルと同数の内導体端子を備えたシールド端子が基板側ハウジング内に配設されることで構成されているので、内導体端子が外導体端子によって個々に遮蔽されたシールド端子をハウジング内に複数配設させてなるコネクタのように、複数のシールド端子を個々に収容するスペースが必要なく、各収容スペース間に隔壁を設ける必要もないため、シールド端子を収容するスペースが縮小することができる。これにより、コネクタユニットの部品点数ならびに組付作業工数の削減、及び基板側コネクタならびにコネクタユニット全体の小型化を図ることが可能になるという効果がある。コネクタユニットの小型化を図ることができれば、このコネクタユニット、特に、基板側コネクタのプリント基板面に対する専有面積が縮小され、後述するプリント回路基板の小型化、若しくは、プリント回路基板面上の信号パターン等の配設スペースの増大化を図ることができる。
【００４６】
また、本発明に係るダイバーシティ受信機用コネクタユニットを構成する基板側コネクタは、ケーブル側コネクタとプリント回路基板との間の電気信号の受け渡しを担うシールド端子が基板側ハウジングを介してプリント回路基板面から垂直方向（縦方向）に複数配設させてなることを特徴としているので、シールド端子を横方向に複数配設させた従来型のコネクタと比べて、プリント回路基板に対する専有面積が小さくなる。これにより、１つには、基板面上の縮小可能なスペースに信号パターンや電子素子等を配設させることによってプリント回路基板全体として小型化され、これを組み込んでなる電子機器等の小型化を図ることができるという効果がある。また１つには、プリント回路基板の大きさとしてはそのままであって基板面上の縮小可能なスペースを利用して信号パターン等の配線量を増大させれば、電子部品やＩＣ等の実装量の増加に伴い電気信号の更なる高速化に適応可能なプリント回路基板を提供することができるという効果がある。
【００４７】
また、基板側コネクタを構成する外導体端子には、遮蔽部材を差込挿入する差込溝が形成されているので、内導体端子を覆設してなる複数の誘電体を外導体端子内に収容する際に、各誘電体間に遮蔽部材を介在させる作業がスムーズに行え、コネクタの組付作業性を向上させることができるという効果がある。
【図面の簡単な説明】
【図１】本発明の実施の形態に係るダイバーシティ受信機用コネクタユニットを構成する基板側コネクタの分解斜視図である。
【図２】図１に示す基板側ハウジングの（ａ）横断面図、（ｂ）断面斜視図である。
【図３】図１に示す基板側ハウジングの正面図である。
【図４】図１に示すシールド端子の組付工程を示した横断面図である。
【図５】図１に示すシールド端子の組付工程を示した断面斜視図である。
【図６】図１に示すシールド端子を基板側ハウジングの収容部に収容する工程を示した断面斜視図である。
【図７】図１に示す基板側コネクタをプリント回路基板に組み付ける状態を示した斜視図である。
【図８】図６に示す基板側コネクタに接続されるケーブル側コネクタの分解斜視図である。
【図９】図６に示す基板側コネクタとケーブル側コネクタとの接続状態を示した横断面図である。
【符号の説明】
１　基板側コネクタ
２　ケーブル側コネクタ
１０　シールド端子
１１，１３　内導体端子
１１ａ，１３ａ　ケーブル側接続部
１１ｂ，１３ｂ　基板側接続部
１２，１４　誘電体
１５　外導体端子
１５ｌ　差込溝
１６　遮蔽部材
２０　基板側ハウジング
２１　収容部
３０　プリント回路基板
４０　アンテナケーブル
５０　ケーブル端子
６０　ケーブル側ハウジング
【図１】
2004014156.tif 000003
【図２】
2004014156.tif 000004
【図３】
2004014156.tif 000005
【図４】
2004014156.tif 000006
【図５】
2004014156.tif 000007
【図６】
2004014156.tif 000008
【図７】
2004014156.tif 000009
【図８】
2004014156.tif 000010
【図９】
2004014156.tif 000011